(57)【特許請求の範囲】
【請求項１】
ＶＨＦ帯のテレビジョン信号を中間周波信号に周波数変換するＶＨＦ部と、ＵＨＦ帯のテレビジョン信号を中間周波信号に周波数変換するＵＨＦ部と、前記ＶＨＦ部から出力された中間周波信号又は前記ＵＨＦ部から出力された中間周波信号を通過して後段に設けられた中間周波増幅器に入力する中間周波同調回路とを備え、前記中間周波同調回路の同調周波数を、前記ＵＨＦ部による前記ＵＨＦ帯のテレビジョン信号の受信時には前記ＶＨＦ部による前記ＶＨＦ帯のテレビジョン信号の受信時よりも高くしたことを特徴とするテレビチューナ。
【請求項２】
前記同調周波数を切り替えるためのバラクタダイオードを前記中間周波同調回路に設け、前記ＶＨＦ部と前記ＵＨＦ部との受信状態を切り替えるためのバンド切り替え電圧発生回路を設け、前記バンド切り替え電圧発生回路からのバンド切り替え電圧を前記バラクタダイオ−ドに供給したことを特徴とする請求項１記載のテレビチューナ。
【発明の詳細な説明】
【０００１】
【発明の属する技術分野】
本発明は、テレビチューナに関し、特に、復調されたビデオ信号の特性をフラットにしうるテレビチューナに関する。
【０００２】
【従来の技術】
従来のテレビチューナを図７乃至図１０を参照して説明する。ここで、図７は従来のテレビチュ−ナのブロック構成図、図８及び図９は従来のテレビチュ−ナの特性図、図１０は従来のテレビ受信機におけるビディオ信号の周波数特性図である。
【０００３】
図７において、従来のテレビチュ−ナ４１はＶＨＦ部４２とＵＨＦ部４３とを備えており、ＶＨＦ部４２はアンテナ同調回路４４、高周波増幅回路４５、段間同調回路４６、混合回路４７が順次縦続接続されて構成され、一方、ＵＨＦ部４３も同様に、アンテナ同調回路４８、高周波増幅回路４９、段間同調回路５０、混合回路５１が順次縦続接続されて構成されている。そして、ＶＨＦ部４２の段間同調回路４６からの高周波信号とＵＨＦ部４３の段間同調回路５０からの高周波信号とは、それぞれ、ＶＨＦ部４２の混合回路４７及びＵＨＦ部４３の混合回路５１で中間周波信号に周波数変換され、中間周波同調回路５２、中間周波増幅回路５３を介して図示しないテレビ受信機内の中間周波増幅回路等に入力される。
【０００４】
図示しないテレビ受信機の中間周波増幅回路に入力された中間周波信号はＳＡＷ（表面弾性波）フィルタ等によって所定の伝送特性となるように処理された後、テレビ受信機内のビディオ検波回路でビディオ信号が取り出されるようになっている。
そして、以上の構成の中で、チュ−ナ４１の中間周波同調回路５２以降図示しないテレビ受信機内のビディオ検波回路までは中間周波信号が伝送される範囲であり、中間周波回路（又は映像中間周波回路）となる。
【０００５】
ここで、テレビチュ−ナ４１のアンテナ同調回路４４、４８は単同調回路で構成され、一方、段間同調回路４６、５０は複同調回路が用いられているが、一般的には、アンテナ同調回路４４、４８のＱよりも段間同調回路４６、５０のＱが高く設定されている。さらに、ＶＨＦ部４２の段間同調回路４６とＵＨＦ部４３の段間同調回路５０とを比較するとＶＨＦ部４２の段間同調回路４６の方が高くなっている。
【０００６】
そのため、段間同調回路４６、５０における１チャンネル分の伝送特性を示すＲＦ波形は、図８に示すように、実線Ｒｖで示すＶＨＦ部４２の段間同調回路４６の場合には急峻となり、ＵＨＦ部４３の段間同調回路５０の場合には点線Ｒｕで示すように緩慢となっている。そのため、ＶＨＦ部４２の段間同調回路４６では映像搬送波信号Ｐと音声搬送波信号Ｓとを同じレベルに設定するのが困難となり、通常、図８に示すように、映像搬送波信号Ｐのレベルが高く、音声搬送波信号Ｓのレベルが低くなっている。これに対して、ＵＨＦ部４３の段間同調回路５０では、Ｑが低いために映像搬送波信号Ｐのレベルと音声搬送波信号Ｓのレベルとはほぼ同じになっている。
【０００７】
図８に示すような伝送特性を有する、ＶＨＦ部４２の段間同調回路４６及びＵＨＦ部４３の段間同調回路５０からの高周波信号は、それぞれ混合回路４７、５１で中間周波信号に周波数変換されて中間周波同調回路５２に入力される。この中間周波同調回路５２は、単同調回路で構成され、後段のテレビ受信機のビディオ検波回路で所定の検波特性が得られるように急峻な単峰特性となるように設定されている。
【０００８】
そして、この中間周波同調回路５２の伝送特性は、図９の実線ＩｖのＩＦ波形で示すように、ＶＨＦ帯の特定のチャンネル（例えば、日本チャンネルでは、チャンネル９）において、映像中間周波数信号Ｐｉｆ（日本では５８．７５ＭＨｚ）のレベルと副搬送波信号Ｃ（Ｐｉｆから３．５８ＭＨｚ離れた周波数で、日本では５５．１３ＭＨｚ）のレベルがほぼ同じとなるように設定され、中間周波同調回路５２の回路定数が固定される。このために、ＵＨＦ帯のチャンネルの受信時における中間周波同調回路５２の伝送特性は、点線Ｉｕで示すように、副搬送波信号Ｃのレベルが映像中間周波信号Ｐｉｆのレベルよりも高くなる。これは、図８に示すＲＦ波形の比較から理解されるように、ＵＨＦ帯のチャンネル受信時ではＶＨＦ帯のチャンネル受信時よりも副搬送波信号Ｃのレベルが高くなっているためである。
【０００９】
そのため、この中間周波同調回路５２の後段のビディオ検波回路で検波したビディオ信号の周波数特性（ビディオ特性）は、図１０に示すように、ＶＨＦ帯のチャンネル受信時には実線Ｂｖのように０ＭＨｚ（直流）から４ＭＨｚまでほぼフラットな特性を示しているにもかかわらずＵＨＦ帯のチャンネル受信時には点線Ｂｕで示すように３ＭＨｚ近傍で振幅が大きくなっている。従って、３．５８ＭＨｚの副搬送波信号のレベルも大きくなることになる。
【００１０】
【発明が解決しようとする課題】
以上のように、従来のテレビチューナの中間周波回路では、ＵＨＦ帯のチャンネル受信時のＩＦ波形で副搬送波信号Ｃの近傍のレベルが高くなるのでビディオ特性では３ＭＨｚのレベルが高くなる。そのため、テレビ受信機の画面に写し出された映像が異常にギラついたり、映像の輪郭に色のニジミが発生したりして視聴者に不快感を与えるという問題が生じていた。
【００１１】
そこで、本発明は、中間周波数の帯域において、ＶＨＦ受信時、ＵＨＦ受信時ともに映像中間周波数信号Ｐｉｆのレベルと副搬送波信号Ｃのレベルとがほぼ同じとなるようにして、映像のギラつきやニジミをなくすことを目的とする。
【００１２】
【課題を解決するための手段】
以上の課題を解決するため、本発明のテレビチューナは、ＶＨＦ帯のテレビジョン信号を中間周波信号に周波数変換するＶＨＦ部と、ＵＨＦ帯のテレビジョン信号を中間周波信号に周波数変換するＵＨＦ部と、前記ＶＨＦ部から出力された中間周波信号又は前記ＵＨＦ部から出力された中間周波信号を通過して後段に設けられた中間周波増幅器に入力する中間周波同調回路とを備え、前記中間周波同調回路の同調周波数を、前記ＵＨＦ部による前記ＵＨＦ帯のテレビジョン信号の受信時には前記ＶＨＦ部による前記ＶＨＦ帯のテレビジョン信号の受信時よりも高くした。
【００１３】
また、本発明のテレビチューナは、前記同調周波数を切り替えるためのバラクタダイオードを前記中間周波同調回路に設け、前記ＶＨＦ部と前記ＵＨＦ部との受信状態を切り替えるためのバンド切り替え電圧発生回路を設け、前記バンド切り替え電圧発生回路からのバンド切り替え電圧を前記バラクタダイオ−ドに供給した。
【００１４】
【発明の実施の形態】
以下、本発明のテレビチューナを図１乃至図６を参照して説明する。ここで図１は本発明のテレビチューナのブロック構成図、図２は本発明のテレビチューナのおける中間周波回路を説明する回路図、図３及び図４は本発明のテレビチュ−ナの特性図、図５は本発明のテレビチューナを適用したテレビ受信機のビディオ特性図、図６は本発明のテレビチューナの他の例を説明する回路図である。
【００１５】
先ず、図１において、本発明のテレビチュ−ナ１はＶＨＦ部２とＵＨＦ部３とを備えてＶＨＦ帯（以下、ＶＨＦバンドという）あるいはＵＨＦ帯（以下、ＵＨＦバンドという）の所望のチャンネルのテレビジョン信号を選択して中間周波信号に周波数変換するチャンネル選択手段であり、独立した金属ケ−ス内に構成されている。ＶＨＦ部２はアンテナ同調回路４、高周波増幅回路５、段間同調回路６、混合回路７が順次縦続接続されて構成され、一方、ＵＨＦ部３も同様に、アンテナ同調回路８、高周波増幅回路９、段間同調回路１０、混合回路１１が順次縦続接続されて構成されている。
【００１６】
そして、ＶＨＦ部２の段間同調回路６からの高周波信号とＵＨＦ部３の段間同調回路１０からの高周波信号とは、それぞれ、ＶＨＦ部２の混合回路７及びＵＨＦ部３の混合回路１１で中間周波信号に周波数変換され、中間周波同調回路１２を介して中間周波増幅回路１３から出力されるようになっている。このテレビチュ−ナ１は、図示しないテレビ受信機内に組み込まれ、中間周波増幅回路１３からの出力がテレビ受信機内の中間周波増幅回路等に入力される。ここで、中間周波同調回路１２は可変同調回路として構成されている。
【００１７】
一方、テレビチュ−ナ１はＰＬＬ回路を内蔵した選局用集積回路（以下、選局用ＩＣと略す）１４を備えており、この選局用ＩＣ１４は、図示しないテレビ受信機から入力される選局デ−タＤＡによって、バンド切り替え電圧や同調電圧を出力するようになっている。即ち、選局用ＩＣ１４は、その内部に、ＰＬＬ回路（図示せず）とともにバンド切り替え電圧を発生するバンド切り替え電圧発生回路１４ａと同調電圧を発生する同調電圧発生回路１４ｂとを備えている。
【００１８】
バンド切り替え電圧としては、通常、ＶＨＦバンドのロ−バンドを選択するＶｌｏ、ＶＨＦ帯のハイバンドを選択するＶｈｉ、ＵＨＦバンドを選択するＶｕがあり、それぞれのバンドを選択するときに選局用ＩＣ１４から、例えば、５ボルトの電圧が出力される。そして、ＶＨＦ帯のバンド切り替え電圧Ｖｌｏ，Ｖｈｉはテレビチュ−ナ１のＶＨＦ部２の高周波同調回路４、段間同調回路６等に、これらのそれぞれの同調回路４、６の切り替え電圧として供給され、一方ＵＨＦ帯のバンド切り替え電圧ＶｕはＵＨＦ部３の高周波増幅回路９等に電源電圧として供給されとともに中間周波同調回路１２にも供給されるようになっている。また、同調電圧発生回路１４ｂからの同調電圧Ｖｔが同調回路４、６等に設けられたバラクタダイオ−ド（図示せず）に供給されるようになっている。
【００１９】
図２は本発明のテレビチューナにおける中間周波回路を示し、混合回路７、１１と中間周波増幅回路１３との間に設けられた中間周波同調回路１２は可変同調回路を構成している。ＶＨＦ部２の混合回路７、ＵＨＦ部３の混合回路１１、及び中間周波増幅回路１３は集積回路（以下単にＩＣと略す）１５内に構成されており、混合回路回路７の出力とＵＨＦ部３の混合回路１１の出力とは、一旦ＩＣ１５外に取り出されて中間周波同調回路１２に入力され、その出力は再びＩＣ１５内の中間周波増幅回路１３に入力される。
【００２０】
そして、中間周波増幅回路１３の出力は、さらに、同調回路１６介してテレビチュ−ナ１の出力として取り出され、図示しないテレビ受信機内に構成されている中間周波増幅回路１７、ＳＡＷフィルタ１８を介してビディオ検波回路１９でビディオ信号として取り出されるようになっている。この中間周波同調回路１２からテレビ受信機内のビディオ検波回路１９までが中間周波回路２０を構成する。
【００２１】
中間周波同調回路１２は、直列接続された二つのコイル２１、２２と、この直列接続されたコイル２１、２２に、コンデンサ２３と、直列接続された二つのバラクタダイオ−ド２４、２５が並列接続されて構成されている。バラクタダイオ−ド２４、２５は、直列で逆極生となるようにアノ−ド同志が接続された、いわゆるバックツ−バック接続とされ、それぞれのカソ−ドがコイル２１、２２に接続されている。そして、コイル２１、２２同志の接続点が９ボルト程度の電源Ｂに接続され、このコイル２１、２２を介して電源電圧が混合回路７、１１に供給されるとともにバラクタダイオ−ド２４、２５のカソ−ドにもバイアス電圧として供給されるようになっている。
【００２２】
バラクタダイオ−ド２４、２５のアノ−ドには、電源Ｂと接地間に設けられた分圧抵抗２６、２７によって例えば５ボルトの分圧電圧が供給されるとともに、選局用ＩＣ１４からのＵＨＦ帯のバンド切り替え電圧Ｖｕ（図１参照）によって制御されるトランジスタ２８のコレクタが接続されている。そして、例えば、ＵＨＦバンドのチャンネル受信時には、選局用ＩＣ１４からは５ボルトのバンド切り替え電圧Ｖｕが出力され、トランジスタ２８が導通してそのコレクタ、従ってバラクタダイオ−ド２４、２５のアノ−ドの電圧はほぼ０ボルトになり、バラクタダイオ−ド２４、２５のそれぞれのアノ−ド、カソ−ド間の電圧は電源Ｂの９ボルトになる。
【００２３】
一方、ＶＨＦバンドのチャンネル受信時では、ＵＨＦバンドのバンド切り替え電圧Ｖｕが０ボルトとなり、トランジスタ２８は非導通となり、バラクタダイオ−ド２４、２５のアノ−ドには分圧抵抗２６、２７によって設定された５ボルトの分圧電圧が供給されてバラクタダイオ−ド２４、２５のそれぞれのアノ−ド、カソ−ド間の電圧は４ボルトとなる。従って、ＶＨＦバンドのチャンネル受信時にはバラクタダイオ−ド２４、２５の容量が大きくなって中間周波同調回路１２の同調周波数は低くなり、一方、ＵＨＦバンドのチャンネル受信時ではバラクタダイオ−ド２４、２５の容量が小さくなって、同調周波数は高くなるようになっている。従って、選局用ＩＣ１４からのバンド切り替え電圧Ｖｌｏ、Ｖｈｉ、Ｖｕはバラクタダイオ−ド２４、２５への制御電圧として用いているので簡単の中間周波同調回路１２の同調周波数を変えることができる。
【００２４】
ここで、テレビチュ−ナ１のアンテナ同調回路４、８、高周波増幅回路５、９、段間同調回路６、１０、混合回路７、１１は、それぞれ従来のテレビチュ−ナ４１のアンテナ同調回路４４、４８、高周波同調回路４５、４９、段間同調回路４６、５０、混合回路４７、５１と同じ構成を備えている。従って、段間同調回路６、１０における１チャンネル分の伝送特性を示すＲＦ波形は、図３に示すように、実線Ｒｖで示すＶＨＦ部２の段間同調回路６の場合に急峻となり、ＵＨＦ部３の段間同調回路１０の場合は点線Ｒｕで示すように緩慢となる。
【００２５】
そのため、ＶＨＦ部２の段間同調回路６では映像搬送波信号Ｐと音声搬送波信号Ｓとを同じレベルに設定するのが困難となり、通常、図３に示すように、映像搬送波信号Ｐのレベルが高くなり、音声搬送波信号Ｓのレベルが低くなっている。これに対して、ＵＨＦ部３の段間同調回路１０では、Ｑが低いために映像搬送波信号Ｐのレベルと音声搬送波信号Ｓのレベルとはほぼ同じになっている。この様子は従来のＲＦ波形を示した図７と同じである。
【００２６】
従って、このまま従来の中間周波同調回路５２を用いた場合には、ＵＨＦバンドのチャンネル受信時の伝送特性は、図４の点線ＩｕのＩＦ波形で示すように、副搬送波信号Ｃのレベルが映像中間周波信号Ｐｉｆのレベルよりも高くなる。しかし、前述したように、本発明では中間周波同調回路１２の同調周波数は、ＶＨＦバンドのチャンネル受信時よりもＵＨＦバンドのチャンネル受信時の方が高くなるように制御されているので、ＵＨＦバンドのチャンネル受信時の中間周波同調回路１２からの伝送特性Ｉｕａは、従来の伝送特性であるＩｕを矢印Ａ方向に移動するととも映像中間周波数信号Ｐｉｆのレベルを上げ、逆に、副搬送波信号ｃ及び音声中間周波信号Ｓｉｆのレベルを下げるようになり映像中間周波信号Ｐｉｆのレベルと副搬送波信号Ｃのレベルをほぼ同じにすることができる。
【００２７】
以上は、ＵＨＦバンドのチャンネル受信時とＶＨＦバンドのチャンネル受信時との違いでのＩＦ波形の違いを無くすことで説明したが、例えば同じＶＨＦバンドのチャンネル受信時でも周波数の高いチャンネルと低いチャンネルとの間にＩＦ波形の違いがあった場合にも適用できる。
【００２８】
従って、検波回路１９で検波したＵＨＦバンドのチャンネル受信時のビディオ信号の特性は、図５のＢｕａのように０ＭＨｚから４ＭＨｚまでをほぼフラットにすることができ、テレビ受信機の映像にギラ付きやニジミが現れることがない。
【００２９】
また、上記の実施の形態では、同調周波数を可変にした中間周波同調回路をテレビチュ−ナ１内に構成したので、テレビチュ−ナ１からの中間周波信号の周波数特性を、所定の特性を有するビディオ信号が検波されるように設定することが可能となり、テレビチュ−ナ１をテレビ受信機の中間周波増幅回路に接続するだけで、テレビ受信機の映像にギラツキやニジミが出ないようにすることができる。
【００３０】
なお、上記の実施の形態では、中間周波同調回路１２を混合回路７、１１とテレビチュ−ナ１内の中間周波増幅回路１３との間に設けたが、これに限ることが無く、例えば、テレビチュ−ナ１内の中間周波増幅回路１３の後段に設けた同調回路１６の代わりに設けてもよい。またテレビ受信機内の中間増幅回路１７が二段構成である場合には、それらの中間周波増幅回路同志の間に設けてもよい。
【００３１】
さらに、上記の実施の形態では、中間周波同調回路１２の同調周波数をＵＨＦバンド帯のバンド切り替え電圧Ｖｕを用いて制御したが、図６に示すように、選局用ＩＣ１４内のバンド切り替え電圧発生回路１４ａからのＶＨＦバンドのバンド切り替え電圧Ｖｌｏ、Ｖｈｉを、スイッチダイオード２９、３０を介してバラクタダイオード２４、２５のアノードに供給するようにしてもよい。この場合は、ＵＨＦバンドのチャンネル受信時ではバンド切り替え電圧Ｖｉｏ、Ｖｈｉがともに０ボルトになるので、バラクタダイオード２４、２５のアノードが０ボルトになり、バラクタダイオードの容量は小さくなる。一方、ＶＨＦバンドのチャンネル受信時では、バンド切り替え電圧Ｖｌｏ、Ｖｈｉのいずれか一方が５ボルトになり、バラクタダイオード２４、２５のアノードが５ボルトになり、容量が大きくなる。
【００３２】
従って、ＵＨＦバンドのチャンネル受信時には中間周波同調回路１２の同調周波数は高くなり、ＶＨＦバンドのチャンネル受信時には中間周波同調回路１２の同調周波数は低くなって、中間周波同調回路１２から出力されるＩＦ波形をＵＨＦバンドのチャンネル受信時とＶＨＦバンドのチャンネル受信時とでほぼ同じにすることができる。
【００３３】
【発明の効果】
以上のように、本発明のテレビチューナは、中間周波同調回路の同調周波数を、ＵＨＦ部によるＵＨＦ帯のテレビジョン信号の受信時にはＶＨＦ部によるＶＨＦ帯のテレビジョン信号の受信時よりも高くしたので、チュ−ナがＵＨＦバンドを受信したときに、段間同調回路での伝送特性が緩慢なために、副搬送波のレベルが大きくなっても、中間周波同調回路ではＶＨＦバンドと同じような周波数特性を有する中間周波特性とすることができる。
【００３４】
また、本発明のテレビチューナは、同調周波数を切り替えるためのバラクタダイオードを中間周波同調回路に設け、ＶＨＦ部とＵＨＦ部との受信状態を切り替えるためのバンド切り替え電圧発生回路を設け、バンド切り替え電圧発生回路からのバンド切り替え電圧をバラクタダイオ−ドに供給したので、チュ−ナのバンド切り替えに連動して自動的に中間周波同調回路の同調周波数を可変にできる。
【図面の簡単な説明】
【図１】本発明のテレビチュ−ナのブロック構成図である。
【図２】本発明のテレビチューナにおける中間周波回路を説明する回路図である。
【図３】本発明のテレビチューナの特性図である。
【図４】本発明のテレビチュ−ナの特性図である。
【図５】本発明のテレビチューナを適用したテレビ受信機のビディオ特性図である。
【図６】本発明のテレビチューナの他の例を説明する回路図である。
【図７】従来のテレビチュ−ナのブロック構成図である。
【図８】従来のテレビチュ−ナの特性図である。
【図９】従来のテレビチュ−ナの特性図である。
【図１０】従来のテレビ受信機のビディオ特性図である。
【符号の説明】
１．テレビチューナ
２．ＶＨＦ部
３．ＵＨＦ部
４．８．アンテナ同調回路
５．９．高周波増幅回路
６．１０．段間同調回路
７．１１．混合回路
１２．中間周波同調回路
１３．１７．中間周波増幅回路
１４．選局用集積回路
１５．ＩＣ
１６．同調回路
１８．ＳＡＷフィルタ
１９．ビディオ検波回路
２０．中間周波回路
２１．２２．コイル
２３．コンデンサ
２４．２５．バラクタダイオ−ド
２６．２７．分圧抵抗
２８．トランジスタ
２９．３０．スイッチダイオ−ド
【図１】
0003602289.tif 000002
【図２】
0003602289.tif 000003
【図３】
0003602289.tif 000004
【図４】
0003602289.tif 000005
【図５】
0003602289.tif 000006
【図６】
0003602289.tif 000007
【図７】
0003602289.tif 000008
【図８】
0003602289.tif 000009
【図９】
0003602289.tif 000010
【図１０】
0003602289.tif 000011